(57)【要約】【課題】装飾の変更が容易であるとともに、安価且つ装飾性に優れた眼鏡フレームに対する装飾物固定構造の提供を目的とする。【解決手段】  ヨロイ１３とテンプル１５とを蝶番１４を介して連結した眼鏡フレーム１０に対し、該蝶番１４を構成する枢軸ボルト１６をもってプレート状の支持部材２０を固定し、該支持部材２０に装飾部２１を保持させる。【選択図】  図３
2010060781.tif 000002
【特許請求の範囲】
【請求項１】
ヨロイとテンプルとを蝶番を介して連結した眼鏡フレームに対し、該蝶番を構成する枢軸ボルトをもってプレート状の支持部材を固定し、該支持部材に装飾物を保持させたことを特徴としてなる眼鏡フレームに対する装飾物固定構造。
【請求項２】
前記支持部材には、前記枢軸ボルトとの相対位置を変異可能な長穴を備え、該長穴内に前記枢軸ボルトを挿通して固定してなる請求項１に記載の眼鏡フレームに対する装飾物固定構造。
【請求項３】
前記支持部材は、ヨロイ及び／又はテンプルの上側を跨ぐ長さの延長片を一体に備えてなる眼鏡フレームに対する装飾物固定構造。
【請求項４】
前記延長片は、ヨロイ及び／又はテンプルの上側を跨ぎ、先端が該ヨロイ及び／又はテンプルの外側面側に垂下される下向きＵ字形に形成されている請求項３に記載の眼鏡フレームに対する装飾物固定構造。
【発明の詳細な説明】
【技術分野】
【０００１】
本発明は、主に蝶番のボルトにより装飾具を固定する眼鏡フレームに対する装飾物固定構造に関する。
【背景技術】
【０００２】
従来、眼鏡フレームの装飾は、眼鏡レンズフレーム両脇のヨロイ、もしくはテンプルに宝飾品等の装飾品を埋め込んだものが一般的に知られている。
【０００３】
しかし、装飾品が埋め込まれた眼鏡フレームの場合、装飾品の変更が容易にできないという問題があった。
【０００４】
そこで、図７に示すような眼鏡フレーム１を装飾する装飾具２が考案されている。（特許文献１）
この装飾具２は、ヨロイ３もしくはテンプル４に吊り下げ可能なフック部５と、フック部５に連結されているチェーン６と、チェーン６先端に連結されている宝飾品等の装飾品７から成り、ヨロイ３、もしくはテンプル４に装着され、眼鏡フレーム１を装飾するものである。
【０００５】
この装飾具２のフック部５は、ゴム状可撓管８で嵌め付けられ、吊り下げ位置よりずれにくく様々な眼鏡フレームに装着可能である。
【０００６】
また、この装飾具２は眼鏡フレーム１より容易に着脱可能であることから、宝飾品の変更も容易となる。
【特許文献１】特願２００７−５８１２０号
【発明の開示】
【発明が解決しようとする課題】
【０００７】
しかし、上述の如き従来の眼鏡フレーム１の装飾具２では、装飾具２が眼鏡フレーム１に装着部がはっきり判別できてしまい、一体感がなく、フック部５のゴム状可撓管８が宝飾品等の装飾には不似合いで装飾性が低いという問題があった。
【０００８】
そこで本発明は、上述の従来技術の問題を鑑み、装飾の変更が容易であるとともに、安価且つ装飾性に優れた眼鏡フレームに対する装飾物固定構造の提供を目的とする。
【課題を解決するための手段】
【０００９】
上述の如き従来の問題を解決し、所期の目的を達成するための請求項１に記載の発明は、ヨロイとテンプルとを蝶番を介して連結した眼鏡フレームに対し、該蝶番を構成する枢軸ボルトをもってプレート状の支持部材を固定し、該支持部材に装飾物を保持させた前記眼鏡フレームに対する装飾物固定構造であることを特徴とする。
【００１０】
請求項２に記載の発明は、請求項１の構成に加え、前記枢軸ボルトとの相対位置を変異可能な長穴を備え、該長穴内に前記枢軸ボルトを挿通して固定した前記眼鏡フレームに対する装飾物固定構造であることを特徴とする。
【００１１】
請求項３に記載の発明は、前記支持部材が、ヨロイ及び／又はテンプルの上側を跨ぐ長さの延長片を一体に備える前記眼鏡フレームに対する装飾物固定構造であることを特徴とする。
【００１２】
請求項４に記載の発明は、請求項３の構成に加え、前記延長片は、ヨロイ及び／又はテンプルの上側を跨ぎ、先端が該ヨロイ及び／又はテンプルの外側面側に垂下される下向きＵ字形に形成された前記眼鏡フレームに対する装飾物固定構造であることを特徴とする。
【発明の効果】
【００１３】
本発明に係る眼鏡フレームに対する装飾物固定構造は、ヨロイとテンプルとを蝶番を介して連結した眼鏡フレームに対し、該蝶番を構成する枢軸ボルトをもってプレート状の支持部材を固定し、該支持部材に装飾物を保持させることにより、既存の眼鏡フレームの加工を要することなく、既存の眼鏡フレームに多様な装飾を施し得ることが可能となる。
【００１４】
前記枢軸ボルトとの相対位置を変異可能な長穴を備え、該長穴内に前記枢軸ボルトを挿通して固定したことによって、テンプル及びヨロイの厚さの違い、蝶番の大きさの違いに対し、長穴に対する枢軸ボルトの相対位置変異によって対応でき、多種類のメガネフレームに取り付けが可能となる。
【００１５】
前記支持部材が、ヨロイ及び／又はテンプルの上側を跨ぐ長さの延長片を一体に備えることにより、ヨロイ及びテンプルの外側に装飾を吊り下げることが可能となり、吊り下げられた装飾が揺振することによって宝飾品等を使用した場合の輝きが増し、装飾効果が向上する。
【００１６】
前記延長片は、ヨロイ及び／又はテンプルの上側を跨ぎ、先端が該ヨロイ及び／又はテンプルの外側面側に垂下される下向きＵ字形に形成されていることによって、蝶番の軸受け部の上面よりヨロイ及びテンプルの上面高さが高い場合であっても、ヨロイ及びテンプルの外側面に装飾物を垂下して装着できる。
【発明を実施するための最良の形態】
【００１７】
次に、本発明に係る眼鏡フレームに対する装飾物固定構造について説明する。
【００１８】
図１〜図３は、本発明に眼鏡フレームに対する装飾物固定構造の一例を示し、図中符号１０は眼鏡フレーム、図中符号１１は眼鏡フレーム１０に装着される装飾具である。
【００１９】
眼鏡フレーム１０は、２枚のレンズを保持するレンズフレーム１２と、レンズフレーム１２両脇から延びるヨロイ１３と、蝶番１４を介しヨロイ１３と連結されるテンプル１５とを備えている。
【００２０】
蝶番１４は、ヨロイ１３のレンズフレーム１２とは逆側端に形成された蝶番片１３ａ、１３ｂと、テンプル１５のヨロイ１３側に形成された蝶番片１５ａとが、かみ合い回動可能に連結する蝶番であり、ボルト１６が、蝶番片１３ａ、１５ａ、１３ｂに連穿する枢支穴１７に挿入される。
【００２１】
枢支穴１７の下端となる蝶番片１３ｂの枢支穴１７内側面には、ボルト１６に螺合する雌ネジ部１８を備え、ボルト１６をねじ込むことにより、蝶番１４の枢軸となる。
【００２２】
装飾具１１は、ボルト１６に固定される装飾支持部材２０を有し、装飾支持部材２０の外側に連結され垂下した宝飾品等の装飾部２１を備えている。
【００２３】
装飾支持部材２０は、プレート状に形成され、ヨロイ１３及びテンプル１５上面に張り出した延長片２２と、ボルト１６が挿通し、ボルト１６との相対位置を変異可能な外側方向に長い固定穴２３が形成されている。
【００２４】
このように構成された装飾具１１は、固定穴２３にボルト１６を挿通し、装飾支持部材２０を固定することにより、延長片２２がヨロイ１３及びテンプル１５上面から外側に張り出し、その外側面に装飾部２１が垂下され、眼鏡フレーム１０を装飾している。固定穴２２が横長に形成されていることにより、ボルト１６による固定箇所が適当な位置に変異可能であり、眼鏡フレーム１０のヨロイ１３及びテンプル１５の厚みに因ることなく、様々な眼鏡フレーム１０を装飾できる。
【００２５】
次に、本発明に係る装飾付眼鏡フレームの他の実施例を説明する。尚、上述の実施例と同一部分には同一符号を付して説明を省略する。
【００２６】
図４は本発明に係る装飾付眼鏡フレームの一例を示し、図中符号１０は眼鏡フレーム、図中符号１１は眼鏡フレーム１０に装着される装飾具である。
【００２７】
装飾具１１は、ボルト１６に固定される装飾支持部材３０を有し、装飾支持部材３０の外側に連結され垂下した宝飾品等の装飾部２１を備えている。
【００２８】
装飾支持部材３０は、下向きＵ字形に形成された延長片３１と、ボルト１６が挿通し、ボルト１６との相対位置を変異可能な外側方向に長い固定穴３２が形成されている。
【００２９】
このように構成された装飾具１１は、固定穴３２にボルト１６を挿通し、装飾支持部材３０を固定することにより、延長片３１がヨロイ１３及びテンプル１５の上面を跨ぎ、その外側面に装飾部２１が垂下され、眼鏡フレーム１０を装飾している。延長片３１が下向きＵ字形に形成されていることにより、蝶番１４の蝶番片１３ａ、１５ａの上面よりヨロイ１３及びテンプル１５の上面高さが高い場合に対応でき、それらの外側面に装飾部２１を垂下して装着できる。
【００３０】
尚、上述の実施例では、眼鏡フレーム１０は２枚のレンズを保持するレンズフレーム１２を備えたものについて説明したが、ヨロイ１３が直接レンズを保持した所謂縁なし眼鏡でも同様に実施可能である。
【００３１】
また、上述の実施例では、蝶番１４の蝶番片１３ａ、１３ｂ、１５ａは、ヨロイ１３、及びテンプル１５に一体成型されたものについて説明したが、蝶番１４をヨロイ１３、テンプル１５間に後から溶接したものを用いてもよい。
【図面の簡単な説明】
【００３２】
【図１】本発明に係る眼鏡フレームに対する装飾物固定構造の概略を示す右側面図である。
【図２】同上の眼鏡フレームに対する装飾物固定構造の拡大平面図である。
【図３】同上の眼鏡フレームに対する装飾物固定構造の断面図である。
【図４】本発明に係る眼鏡フレームに対する装飾物固定構造の他の一例を示す拡大図断面図である。
【図５】従来の装飾付眼鏡フレームの装飾具使用状態を示す断面図である。
【符号の説明】
【００３３】
１０  眼鏡フレーム
１１  装飾具
１２  レンズフレーム
１３  ヨロイ
１３ａ  蝶番片
１４  蝶番
１５  テンプル
１５ａ  蝶番片
１６  ボルト
１７  枢支穴
１８  雌ネジ部
２０  装飾支持部材
２１  装飾部
２２  延長片
２３  固定穴
３０  装飾支持部材
３１  延長片
３２  固定穴
【図１】
2010060781.tif 000003
【図２】
2010060781.tif 000004
【図３】
2010060781.tif 000005
【図４】
2010060781.tif 000006
【図５】
2010060781.tif 000007